(57)【要約】【課題】交流駆動される放電ランプと、該放電ランプが組み込まれた凹面反射鏡とからなり、前記放電ランプの中心軸と凹面反射鏡の光軸方向とが一致するように配置されてなる光源装置および光照射装置において、ランプの下半部内での紫外線吸収を抑制して、十分な光出力を得ることのできる構造を提供しようとするものである。【解決手段】前記凹面反射鏡の開口部が上方に向けられて配置されており、一対の電極の下側電極が陽極動作をする時間を、上側電極が陽極動作をする時間より長くなるようにしたことを特徴とする。【選択図】  図１
2011142002.tif 000002
【特許請求の範囲】
【請求項１】
放電容器の内部に一対の電極が対向配置されるとともに、０．０８〜０．２６ｍｇ／ｍｍ３の水銀が封入され、交流駆動される放電ランプと、該放電ランプが組み込まれた凹面反射鏡とからなり、前記放電ランプの中心軸と凹面反射鏡の光軸方向とが一致するように配置されてなる光源装置において、
前記凹面反射鏡の開口部が上方に向けられて配置されており、
前記一対の電極の下側電極が陽極動作をする時間が、上側電極が陽極動作をする時間より長いことを特徴とする光源装置。
【請求項２】
前記下側電極が陽極動作をする時間と、前記上側電極が陽極動作をする時間の比が、６０：４０〜７０：３０であることを特徴とする請求項１に記載の光源装置。
【請求項３】
前記放電容器に封入される水銀密度は０．０８〜０．１８ｍｇ／ｍｍ３であることを特徴とする請求項１に記載の光源装置。
【請求項４】
前記凹面反射鏡の開口部の中央より冷却空気を吸い込み、凹面反射鏡の下端から冷却空気を排出することを特徴とする請求項１〜３のいずれかに記載の光源装置。
【請求項５】
前記請求項１〜４のいずれかに記載の光源装置を複数並列配置したことを特徴とする光照射装置。
【発明の詳細な説明】
【技術分野】
【０００１】
この発明は、交流駆動される放電ランプと凹面反射鏡とからなる光源装置および該光源装置を複数配列した光照射装置に関するものであり、特に、光が上向きに出射される光源装置および光照射装置に係わるものである。
【背景技術】
【０００２】
従来、半導体、液晶基板およびカラーフィルタ等の被処理物の製造工程においては、入力電力の大きな紫外線光源を使用されている。紫外線光源として用いられているのは、水銀蒸気或いは希ガスを封入した管球内で電極間にアーク放電を発生させるタイプの高圧放電ランプである。
近時、処理速度の短縮化や処理面積の大型化などにより、消費電力が数ｋＷ乃至数１０ｋＷの高出力のランプが要求されており、それにともなって、１本の大型ランプの代わりに、小型の放電ランプを用いた光源装置を複数配列した光照射装置が使用されるようになってきた。
【０００３】
このような使用目的に、通常はプロジェクタ装置の光源として使用されている小型の放電ランプが用いられている。特許文献１（特開２００７−５５８８号公報）がそのひとつの例である。
図４（Ａ）、（Ｂ）にこの従来技術が示されていて、（Ａ）は一部横断面図、（Ｂ）はその装置正面図である。（Ｂ）で示すように、光照射装置２０は多数の光源装置２１を縦方向と横方向に配列したものからなる。各光源装置２１は、例えば０．０８ｍｇ／ｍｍ３以上の水銀が封入された放電ランプ２２と、該放電ランプ２２が組み込まれた凹面反射鏡２３とからなり、前記放電ランプ２２の中心軸と凹面反射鏡２３の光軸が一致するように配置されている。
該光源装置２１は、図４（Ａ）に示すように、また同文献１の段落００２６に記載されているように、放電ランプ２２および凹面反射鏡２３が水平方向に向くように配置され、該凹面反射鏡２３からの光は水平方向に放射される。
そして、この光源装置および光照射装置は、波長３００ｎｍ〜４００ｎｍの光を主に被処理物に照射することによって、放射強度を高めて、半導体の製造工程や液晶表示基板の製造工程における露光処理を行っている。
【０００４】
図５に該光照射装置２０を用いた露光装置の一例が示されている。
光照射装置２０からの放射光は、インテグレータ２５を経て折り返しミラー２６により折り返され、マスク２７を介してマスクステージ２８上のワークＷに照射されるものである。
【０００５】
ところで、前記した大型の放電ランプを用いた光照射装置においては、ランプが大型化したことから、露光装置に組み合わせる場合に、主にその取り扱い上の利便性を考慮して、放電ランプを装置の下方に配置して、反射鏡から上向きに光を出射する構造が多く採用されている。
そのため、特許文献１に示されるような小型の放電ランプと凹面反射鏡からなる光源装置を多数配列した光照射装置を、上記した従来の露光装置の光照射装置として代替しようとすると、光源装置の凹面反射鏡を上向きに配置して上方に光を出射する構成とすることが求められ、必然の結果として放電ランプも垂直方向に配置されることになる。
このように、放電ランプを水平点灯から垂直点灯に変更し、かつ、反射鏡も上方に光を出射するように開口部を上方に向けて配置する場合、放電ランプの周囲の熱的状況が変わるので、波長３００ｎｍ〜４００ｎｍの出力を維持するためにはランプを調整することが必要になってくる。
【０００６】
ところで、特許文献２（特開２００３−３４７０７１号公報）に、放電ランプを垂直点灯したときに、一対の上下電極の温度を互いに一致させるために、交流点灯のデューティ比を変更させることが提案されている。
しかしながら、この従来技術では、ランプは垂直配置ではあるものの、反射鏡は水平配置されていて、反射鏡からの光も水平方向に出射されていくものである。
このような配置は上記した従来から存在する露光装置の光照射装置用の代替光源装置としては適用することができず、本願発明が対象とする、図２に示すような、凹面反射鏡もその開口部が上方にあり、ランプの中心軸と反射鏡の光軸とを一致させて上方に光出射する光源装置が多数配列された光照射装置が求められている。
【０００７】
しかして、図２に示すような光照射装置とした場合に、光源装置としては、従来の水平点灯方式や、特許文献２のような、ランプは垂直で反射鏡が水平配置という点灯方式にした場合とは異なる新たな問題点が発生することが判明した。
すなわち、図６に示すような光源装置においては、放電ランプ３０の発光部３１内では、アークによる熱の影響で対流３２が生じており、高温ガスは上側電極３３に沿って上昇し、発光部の上方に輸送される。この対流３２は管壁付近で下降して、発光部の中央付近からアーク方向に向かう。このような対流により、発光部３１の上半部３１ａが高温になる。
一方、発光部３１の下部には対流がほとんど無いため、発光部上部に比べて低温で安定した状態ができる。そのため、発光部３１の下半部３１ｂは上半部３１ａに比べ低温となり、当該下半部３１ｂでは水銀原子の濃い状態ができる。
ランプ内部のアーク周囲にある水銀原子は基底状態にあるため、発光部の中心で放射された波長２５４ｎｍの光を吸収する。この吸収域が広がることにより、短波長側（波長３００ｎｍ〜３３０ｎｍ）で光強度が下がる。そして、水銀原子が濃い状態にあると、この水銀による吸収がより大きくなり、ランプからの光強度が低下してしまうという不具合が生じる。
【０００８】
そして、放電ランプ３０と凹面反射鏡３５とからなるこの種の光源装置では、発光部３１の反射鏡３５に近い部分、即ち、下半部３１ｂから放射された光を主に反射して利用しているので、上記したように、この下半部３１ｂでの光吸収が大きいことはそのまま光源装置からの光強度の低下に直結してしまい問題が大きい。
【０００９】
図７に、放電ランプの軸方向と反射鏡の光軸とが一致している光源装置を、反射鏡の開口部が上向きになるように垂直点灯した場合（以下単に、垂直点灯という）と、反射鏡の開口部が水平方向に向かうように水平点灯した場合（以下単に、水平点灯という）とにおける波長３００ｎｍ〜５００ｎｍの光強度分布を示すグラフである。
上記グラフから分かるように、垂直点灯した場合（点線表示）には、水平点灯した場合（実線表示）に比べて、特に短波長側（波長３００ｎｍ〜３３０ｎｍ）で光強度が下がっている。その理由としては、前記したように凹面反射鏡は放電ランプの発光部の下半部から放射された光を主に反射して利用しているので、垂直点灯においては、この発光部の下半部から放射される光強度が低下しているためと考えられる。
【先行技術文献】
【特許文献】
【００１０】
【特許文献１】特開２００７−５５８８号公報
【特許文献２】特開２００３−３４７０７１号公報
【発明の概要】
【発明が解決しようとする課題】
【００１１】
この発明は、上記従来技術の問題点に鑑みて、放電容器の内部に一対の電極が対向配置されるとともに、０．０８〜０．２６ｍｇ／ｍｍ３の水銀が封入され、交流駆動される放電ランプと、該放電ランプが組み込まれた凹面反射鏡とからなり、前記放電ランプの中心軸と凹面反射鏡の光軸とが一致するように配置されてなる光源装置および該光源装置を多数配列してなる光照射装置において、凹面反射鏡から上方に向けて光出射するように配置したものにおいて、発光部の下半部からの光出射強度が低下することがなく、有効に光出射ができる光源装置および光照射装置を提供しようとするものである。
【課題を解決するための手段】
【００１２】
上記課題を解決するために、この発明に係わる光源装置は、前記凹面反射鏡の開口部が上方に向けられて配置されてなり、前記一対の電極の下側電極が陽極動作をする時間が、上側電極が陽極動作をする時間より長くなるようにしたことを特徴とする。
また、前記下側電極が陽極動作をする時間と、前記上側電極が陽極動作をする時間の比、即ち、デューティ比が、６０：４０〜７０：３０であることを特徴とする。
更には、前記凹面反射鏡の開口部の中央より冷却空気を吸い込み、凹面反射鏡の下端から冷却空気を排出することを特徴とする。
【発明の効果】
【００１３】
本発明によれば、凹面反射鏡が上方に向けて配置された光源装置において、放電ランプの下側電極が陽極動作する時間を上側電極よりも長くしたので、該下側電極の温度が上側電極に比べて高くなり、前記放電ランプの発光部の下半部が温められので、該下半部内の水銀原子の濃度が高くなることが防止され、その部分での短波長側の紫外線の吸収が少なくなり、ここからの光出力強度の低下を抑制できるという効果を奏するものである。
また、下側電極の陽極動作と上側電極の陽極動作のデューティ比を６０：４０〜７０：３０とすることにより、水平点灯した場合と同等もしくはそれ以上の光強度が得られる。
更には、冷却空気を凹面反射鏡の開口部中央から吸い込み、凹面反射鏡の下端から排出することにより、発光部の上半部を冷やして温度を下げ、下半部の温度を相対的に上げることができるので、光強度の更なる改善が得られる。
【図面の簡単な説明】
【００１４】
【図１】本発明に係る光源装置の断面図。
【図２】本発明に係る光源装置を多数配列した光照射装置の説明図。
【図３】本発明の効果を説明するグラフ。
【図４】従来の光照射装置の説明図。
【図５】従来の光照射装置を組み込んだ露光装置の説明図。
【図６】垂直点灯光源装置の説明図。
【図７】垂直点灯方式と水平点灯方式の比較グラフ。
【発明を実施するための形態】
【００１５】
図１に本発明の光源装置１が示されていて、放電ランプ２と、この放電ランプ２を取り囲む凹面反射鏡３とからなり、前記放電ランプ２の中心軸と凹面反射鏡３の光軸とは一致している。この例では、放電ランプ２の一方の封止部２ａが口金４を介して反射鏡３に接着剤等により固定されている。
該光源装置１は、放電ランプ２と反射鏡３がほぼ垂直上方を向くように、開口部５が上方を向いて配置されており、光は上方に放射される。
そして、凹面反射鏡３の上方開口部５の前面ガラス６の中心には冷却空気導入口７が設けられており、一方、凹面反射鏡３の下端の口金４には側面に向けて冷却空気排出口８が形成されていて、冷却空気が、凹面反射鏡３の前面から反射鏡３内に導入されて、ランプ２を冷却して下端の口金４の冷却空気排出口８から排出される。
【００１６】
放電ランプ２の発光部には水銀と、希ガスと、ハロゲンガスが封入されている。点灯始動性を改善するための希ガスは、例えば、アルゴンガスが約１３ｋＰａ封入される。ハロゲンは、沃素、臭素、塩素などが水銀その他の金属との化合物の形態で封入され、その封入量は、１×１０−６〜１×１０−２μｍｏｌ／ｍｍ３の範囲から選択される。
【００１７】
水銀は、水銀原子の吸収によって生じるスペクトルの形状によって規定されるが、水銀は発光部の中心で放射された波長２５４ｎｍの光を吸収するので、波長３００ｎｍ〜３３０ｎｍ付近の紫外線を利用する場合は、発光部に封入する水銀量に配慮しなければならない。
また、発光部に封入される水銀量が少ないと、放電ランプの抵抗が小さくなるため、電極間を流れる電流値が大きくなる。電流値が大きいと、電極にかかる負荷が増大するため、電極が早期に損耗する。そのため、放電ランプに封入する水銀密度は０．０８ｍｇ／ｍｍ３以上とする。
水銀が０．０８ｍｇ／ｍｍ３以上封入されている放電ランプでは、発光部の中心で発光している波長２５４ｎｍの光は、全て吸収されて外部に放射される発光が全く見られない状態となる。発光部に封入する水銀密度をさらに増加させると、水銀の吸収波長域が広がる。水銀密度が０．２０ｍｇ／ｍｍ３程度では、水銀による吸収は波長２５４ｎｍから３００ｎｍ付近まで広がる。さらに水銀密度が０．３０ｍｇ／ｍｍ３程度になると波長３１３ｎｍの発光ラインは吸収され、波長３００〜３３０ｎｍの光出力が大幅に低下する。
【００１８】
水銀封入量を変化させたときに、波長３２０ｎｍの光に主感度を有するＰＳ用レジストに対して紫外線を１秒間照射したときの硬化状態を評価した結果が表１である。
＜表１＞
2011142002.tif 000003
硬化状態は、以下のように評価した。
［１］未硬化状態
［２］硬化した部分と未硬化の部分とが混在している状態
［３］実用上問題のない最低限のレベルの硬化状態
［４］実用上問題のない最低レベルを上回る硬化状態ではあるが最高
レベルには至らない硬化状態
［５］最高レベルの硬化状態
【００１９】
上記評価結果からも分かるように、水銀密度０．２６ｍｇ／ｍｍ３以下とすれば、硬化状態は事実上問題ない最低限のレベルの硬化ができ、水銀密度を０．１８ｍｇ／ｍｍ３以下とすれば最高レベルの硬化状態が得られることがわかる。よって、水銀密度は０．０８ｍｇ／ｍｍ３〜０．２６ｍｇ／ｍｍ３とすることが求められ、特に、０．０８ｍｇ／ｍｍ３〜０．１８ｍｇ／ｍｍ３とすることが好ましい。
【００２０】
放電ランプ２は図示しない点灯装置から交流駆動電流が供給されて点灯される。交流駆動では、直流駆動よりも寿命が長く、照度の高い放電ランプを実現できる。発光部内の一対の電極間の極性が反転するタイミングはデューティ比を用いて表される。具体的には、「下側電極が陽電極として印加される時間」：「上側電極が陽電極として印加される時間」としてデューティ比を表示する。
電極は、陽極動作となるときに電流が供給されて温度が上昇する性質がある。そのため、下側電極が陽極動作をする時間を、上側電極が陽極動作をする時間より長くすることによって、下側電極の温度が上がり、発光部の下半部の温度を上げることができる。
このようにして、発光部内部の対流によって相対的に温度が低くなる発光部の下半部の温度を上げ、水銀原子が濃い状態を解消して、水銀による短波長側（波長３００ｎｍ〜３３０ｎｍ）の吸収の影響を小さくし、該短波長側（波長３００ｎｍ〜３３０ｎｍ）の紫外線強度を高めることができる。
【００２１】
また、凹面反射鏡３の内部に冷却空気を流通させて放電ランプ２を積極的に冷却することによっても、発光部の上半部を冷やして温度を下げ、発光部の下半部の温度を相対的に上げることができる。
前面ガラス６の冷却空気導入口７から凹面反射鏡３の内部に流入した冷却空気は、放電ランプ２の発光部の側面を通過して下側封止部２ａに沿って流通し、凹面反射鏡３の下端に取り付けられた口金４の冷却空気排出口８を介して凹面反射鏡３の外に排出される。この冷却空気によって、特に、放電ランプ２の発光部の上半部が冷却され、下半部の温度が相対的に上昇される。
【００２２】
図２に示すように、上記の光源装置１を縦横方向に複数個並列して配置し、該光源装置からの光が上方に向けて出射される光照射装置１０を構成し、従来の１本の大型ランプによる光照射装置の有効な代替装置として機能し、半導体装置の製造工程や液晶表示基板の製造工程における露光処理を行うための放射強度の高い光源とすることができる。
【００２３】
上記光源装置の一数値例を示すと以下の通りである。
ランプ入力２７５Ｗ、電極間距離１ｍｍ、バルブ外形φ１２ｍｍ、封入水銀密度０．１７ｍｇ/ｍｍ３、アルゴン１３ｋＰａ、適量のハロゲンを封入してあり、ＡＣ点灯、駆動周波数３００Ｈｚ、凹面反射鏡の外径６５ｍｍ×７０ｍｍ、装置全体冷却空気量；４．５ｍ３/ｍｉｎ、前面ガラスには厚さ３ｍｍの石英ガラスを用い中心部分にφ８ｍｍの冷却空気導入口を開けている。
上記数値例の仕様よりなる光源装置について実験を行った。デューティ比５０：５０、水平点灯とした場合の光強度を比較基準とし、垂直点灯とした場合についてデューティ比と冷却条件を変えたときの実験結果を下の表２に示す。各波長域についての積算光量を用いて比較している。
【００２４】
＜表２＞
2011142002.tif 000004
【００２５】
なお、上記表２のうち、水平点灯（デューティ５０：５０）、垂直点灯（デューティ５０：５０）、垂直点灯（デューティ６０：４０）について、波長３００〜３３０ｎｍのスペクトル分布を図３に示す。
上記表２および図３で分かるように、下側電極が陽極動作する時間と上側電極が陽極動作する時間との比であるデューティ比を、６０：４０以上にすれば、水平点灯と同等もしくはそれ以上の光強度が得られることが分かる。
なお、デューティ比６０：４０の条件では２０００ｈ（照度維持率７０％)使用可能なランプが、デューティ比７０：３０のランプでは８００ｈで照度維持率が７０％に、デューティ比８０：２０では１２０ｈで照度維持率が７０％まで低下した。照度低下の主たる要因は、陽極サイクル時間が長くなった下側電極の過熱が原因であり、下側電極先端が溶融して極間が長くなって、光の集光性が低下したことによる。従って、ランプの電極設計の影響は多分にあるが、実際に使用できるのはデューティ比７０：３０程度までである。
【００２６】
また、上記表２の結果より、垂直点灯でも冷却空気を導入して放電ランプを冷却する、水平点灯で冷却なしの放電ランプより、波長３００〜３３０ｎｍおよび波長３３０ｎｍ〜４００ｎｍの光強度が高まることがわかる。
この理由は、水平点灯でも対流により発光部の下側の温度が下がり、水銀の濃度が高い状態が形成されていたためと考えられる。垂直点灯で下側電極が陽極動作をする時間を、上側電極が陽極動作をする時間より長くすることによって、下側電極の温度を高めるとともに、冷却空気を放電ランプの上方から下方に流通させることにより、特に発光部の上半部を冷却することで、発光部の内部温度分布をより一層均一に保つことができるためである。
なお、上記において、垂直というのは厳密な意味での垂直のみを表すわけではなく、上方というほどの意味である。
【００２７】
以上のように、放電ランプと凹面反射鏡とよりなる光源装置において、凹面反射鏡の開口部を上方に向けて配置して光を上方に放射するとき、下側電極が陽極動作する時間を上側電極が陽極動作する時間より長くしたことにより、下側電極の温度が上がることにより発光部の下半部が十分に加熱されて上半部との相対的な温度差を減少し、当該部分での水銀原子の濃度が平準化し、紫外線の吸収を少なく抑えて十分な光強度が得られるという効果を奏するものである。
【符号の説明】
【００２８】
１        光源装置
２        放電ランプ
３        凹面反射鏡
４        口金
５        開口部
６        前面ガラス
７        冷却空気導入口
８        冷却空気排出口
１０        光照射装置
【図１】
2011142002.tif 000005
【図２】
2011142002.tif 000006
【図３】
2011142002.tif 000007
【図４】
2011142002.tif 000008
【図５】
2011142002.tif 000009
【図６】
2011142002.tif 000010
【図７】
2011142002.tif 000011